(57)【要約】【課題】      イカツノの釣針を容易に外すことが可能な釣用針外しを提供することである。【解決手段】  釣用針外し１は筒状の保持部２の中に円柱状の針外し部３が前後に移動可能に収納されて発条４で針外し部３は後方に付勢されている。  保持部２は合成樹脂等で筒部２ａに形成されると共に上部に前後方向の長孔２ｂが形成され、針外し部３は天然ゴムや合成ゴムで柱部３ａに形成されると共に前側中心にイカツノ６の棒状の本体部６ａ外周が緩く嵌合可能な長い孔３ｂと外周から孔３ｂに通じると共に後端に抜ける釣糸導入用の溝３ｃが形成されている。  柱部３ａの前面に刺し止め部３ｅと刺し止め部３ｅより前側に突出した突部３ｆが形成され、刺し止め部３ｅは釣針７の針先ａが容易に差し込まれるように形成されてイカツノ６に釣針７と釣糸１１が取り付けられている。【選択図】        図２
2009261316.tif 000002
【特許請求の範囲】
【請求項１】
針外し部の先端に開口するイカツノを挿入する孔と、前記針外し部の側部に前記孔に通じる溝を設けると共に前記針外し部の先端に釣針が刺し込み可能な刺し止め部を設けたことを特徴とする釣用針外し。
【請求項２】
保持部に針外し部を前後に移動可能に保持したことを特徴とする請求項１記載の釣用針外し。
【請求項３】
針外し部の先端に釣針を押圧するための突部を設けたことを特徴とする請求項１、２記載の釣用針外し。
【発明の詳細な説明】
【技術分野】
【０００１】
本発明は、イカ釣りなどに使用する擬似餌であるイカツノの釣針を容易に外すことが可能な釣用針外しに関する。
【背景技術】
【０００２】
従来特許文献１のように鈎針を外すのに棒状の本体の一端に板材を渦巻きに成形した渦巻き部材を用いた釣針外し具がある。
しかし、この釣針外し具では魚の口の中で鈎針を外しても、渦巻き部材の外側に鈎針の針先が露出しているので、渦巻き部材と鈎針を魚の口の中から引き出す時に新たに魚の口の中に引っかかることがある。
更にイカ釣りなどに使用する擬似餌のイカツノは紡錘型や棒状のボディ（本体）の一端にボディの方向に先端部を向けた針状の釣針（カンナ）が取り付けられていて、この釣針は放射状に多数の針が配置され外側に広がる方向を向けて突出しているため魚に飲み込まれると放射状の針が魚ののど孔を一周して刺さってしまうため釣針を外すことが難しく、前記渦巻き部材を用いた釣針外し具では到底外すことが出来ない。
【特許文献１】特開２００１−１３６８８６号公報
【発明の開示】
【発明が解決しようとする課題】
【０００３】
解決しようとする問題点は、釣針外し具の外側に外した釣針の針先が露出して突出する釣針外し具では魚の口の中から引き出す時に再度引っ掛かってしまいイカツノ等の擬似餌の釣針（カンナ）を外すことが出来ないことである。
【０００４】
本発明の目的は前記欠点に鑑み、イカツノ等の擬似餌の釣針（カンナ）を容易に外すことが可能な釣用針外しを提供することである。
【課題を解決するための手段】
【０００５】
本発明の請求項１は、針外し部の先端に開口するイカツノを挿入する孔と、前記針外し部の側部に前記孔に通じる溝を設けると共に前記針外し部の先端に釣針が刺し込み可能な刺し止め部を設けたことを要旨とするものである。
本発明の請求項２は、保持部に針外し部を前後に移動可能に保持したことを要旨とするものである。
本発明の請求項３は、針外し部の先端に釣針を押圧するための突部を設けたことを要旨とするものである。
【発明の効果】
【０００６】
本発明の請求項により、イカツノの釣針（カンナ）であっても針先が針外し部の刺し止め部に差し込まれた状態で釣用針外しを魚の口の中から後退させると針先を魚の口の中で他の部位に刺さることなく魚の口の中から引き出すことが出来る。
針外し部に突部を設けると、釣針の針先が他の部位に刺さっていても突部でカンナを押して外し、針先の内側に確実に針外し部を押し込むことが出来て針先を刺し止め部に差し込むことができる。
【発明を実施するための最良の形態】
【０００７】
釣用針外し１は筒状の保持部２の中に円柱状の針外し部３が前後に移動可能に収納されて発条４で針外し部３は保持部２の後方に付勢されている。
保持部２は合成樹脂等で筒部２ａに形成されると共に上部に前後方向に延びた溝２ｂが形成されている。
針外し部３は天然ゴムや合成ゴム等のゴム状部材で柱部３ａに形成されると共に前側中心にイカツノ６の棒状の本体部６ａ外周が緩く嵌合可能な針外し部３の前後方向に延びる長い孔３ｂと外周から孔３ｂに通じると共に後端に抜ける溝３ｃが形成されている。
柱部３ａの外周は先端外周の度当り鍔部３ｄと鍔部３ｄの前面の刺し止め部３ｅと刺し止め部３ｅより前側に突出した突部３ｆと柱部３ａの後端のバネ掛け３ｇとで形成されている。
イカツノ６は棒状の本体部６ａと先端の針係止部６ｂと釣針７とで構成され、棒状の本体部６ａの後端に釣糸１１が取り付けられている。
刺し止め部３ｅの硬度は釣針７の針先が容易に差し込まれる硬度に選択調節されている。
なお、イカ釣りなどに使用する擬似餌のイカツノは紡錘型や棒状のボディ（本体）の一端にボディの方向に先端部を向けた針状の釣針（カンナ）が取り付けられていて、この釣針は放射状に多数の針が配置され外側に広がる方向を向けて突出している。
【実施例１】
【０００８】
以下、図示の実施例によって本発明を説明すると、図１から図６は第１実施例で図１は魚の口の中に針外し部を突出させて差し込んだ釣用針外しの側面図、図２はイカツノを差し込んだ釣用針外しの断面側面図と前側の拡大断面側面図、図３（ａ）はイカツノが差し込まれていない釣用針外しの正面図で（ｂ）は釣用針外しの背面図で（ｃ）は釣用針外しの断面背面図、図４は釣用針外しの断面側面図と先端の拡大断面側面図、図５は針外し部を突出させた断面側面図、図６はイカツノの拡大側面図である。
【０００９】
釣用針外し１は内部が中空状の筒状の保持部２の中に柱状の針外し部３が前後に移動可能に収納されて発条４で針外し部３は保持部２の後方に付勢されている。
保持部２は合成樹脂や金属等で形成された筒部２ａを有すると共に筒部２ａの上部に前後方向に延びる溝２ｂが形成されている。
保持部２の後側下部にはハンドル部２ｃと引金５の支持部２ｄが突出形成され、支持部２ｄ位置の筒部２ａには引金５が挿入される細い長孔２ｅが形成されている。
筒部２ａの後部壁内にはバネ掛け２ｆが設けられている。
引金５は支持部２ｄにピン軸１０で回動可能に軸承されている。
【００１０】
針外し部３は天然ゴムや合成ゴム等のゴム材料で円柱状に形成されると共に前側中心にイカツノ６の棒状の本体部６ａ外周が嵌合可能な長い孔３ｂと外周から孔３ｂに通じると共に針外し部３の前端から後端に抜ける釣糸１１の導入用溝３ｃが形成されている。
柱部３ａの外周は先端外周の度当り鍔部３ｄと鍔部３ｄの前面の刺し止め部３ｅと刺し止め部３ｅより前側に突出した突部３ｆと柱部３ａの後端のバネ掛け３ｇとで形成されている。
イカツノ６は棒状の本体部６ａと先端の針係止部６ｂと釣針（カンナ）７と棒状の本体部６ａの後端に取り付けた釣糸１１で構成されている。
刺し止め部３ｅは釣針７の針先ａが容易に差し込まれるように選択調節されゴム材料で円柱状の柱部３ａと一体に形成されている。
発条４とバネ掛け２ｆ、３ｇは引金５の左右両側に設けるとよい。
【００１１】
針外し部３の突部３ｆは円錐形に形成されてイカツノ６の釣針７の針の傾斜より小角度に形成され、突部３ｆの先端にイカツノ６の本体６ａが挿入される孔３ｂが開口している。
突部３ｆの根元の外側に刺し止め部３ｅが形成され、刺し止め部３ｅは孔３ｂに嵌合されたイカツノ６の釣針７の外側に開いた針先ａが差し込まれるように配置されて度当り鍔部３ｄの外径より小径に形成されている。
針外し部３は常時は保持部２の筒部２ａ内に発条４で引き込まれている。
【００１２】
釣用針外し１が使用される時は、保持部２の筒部２ａの前後の長孔２ｂと針外し部３の釣糸導入用の溝３ｃが同一位置に合わせられると共に引金５が引かれて発条４の付勢力に抗して針外し部３が突出され、図１、図２で釣糸１１が長孔２ｂと釣糸導入用の溝３ｃに通されて魚１２の口の中に刺さったイカツノ６の棒状の本体部６ａを柱部３ａの長い孔３ｂに挿入して釣用針外し１を前進させると図４のように釣針７の針先ａが刺し止め部３ｅに差し込まれて図１の状態となる。
釣針７の針先ａが刺し止め部３ｅに差し込まれた状態で釣用針外し１を魚１２の口の中から後退させると針先ａが魚１２の口の中で他の部位に刺さることなく後退させて釣針７を取り出すことが出来る。
【００１３】
前記のように釣用針外し１が構成されると、イカツノ６の釣針７であっても針先ａが針外し部３の刺し止め部３ｅに差し込まれた状態で釣用針外し１を魚１２の口の中から後退させると針先ａを魚１２の口の中で他の部位に刺さることなく取り外すことが出来る。
針外し部３に突部３ｆを設けると、釣針７の針先ａが他の部位に刺さっていても突部３ｆで釣針７を押して魚１２の口の中で外し、針先ａの内側に確実に針外し部３を押し込むことが出来て針先ａを刺し止め部３ｅに差し込むことができる。
【実施例２】
【００１４】
図７は第２実施例で図７はイカツノが差し込まれる前の釣用針外し斜視図である。
【００１５】
第２実施例の釣用針外し８は筒状の保持部９の中に円柱状の針外し部３が収納固定されている。
保持部９は合成樹脂等で筒部９ａに形成されると共に上部に前後方向の溝９ｂが形成されている。
針外し部３は天然ゴムや合成ゴム等のゴム状部材で柱部３ａに形成されると共に前側中心にイカツノ６の外周が緩く嵌合可能な長い孔３ｂと針外し部３の外周から孔３ｂに通じると共に後端に抜ける釣糸導入用の溝３ｃが形成されている。
柱部３ａの前面に刺し止め部３ｅが形成されている。
イカツノ６は棒状の本体部６ａと先端の針係止部６ｂと釣針７と棒状の本体部６ａの後端に取り付けた釣糸１１で構成されている。
刺し止め部３ｅは長い孔３ｂに緩く嵌合されたイカツノ６の釣針７の外側に開いた針先ａが差し込まれるように配置されて保持部９の筒部９ａ内径より小径に形成されている。
刺し止め部３ｅの硬度は釣針７の針先ａが容易に差し込まれる硬度に選択調節されている。
他の構成は前記第１実施例と略同一である。
【００１６】
釣用針外し８が使用される時は、魚の口の中に刺さったイカツノ６に対して釣糸１１を長孔２ｂと釣糸導入用の溝３ｃに通して魚の口の中に刺さったイカツノ６の棒状の本体部６ａを針外し部３の柱部３ａの長い孔３ｂに挿入して釣用針外し８を前進させると、釣針７の針先ａが刺し止め部３ｅに差し込まれて前記第１実施例と同様に針先ａを魚の口の中で他の部位に刺さることなく後退させることが出来る。
【産業上の利用可能性】
【００１７】
本発明は釣用針外し全般に利用できる。
【図面の簡単な説明】
【００１８】
【図１】第１実施例で魚の口の中に針外し部を突出させて差し込んだ釣用針外しの側面図である。
【図２】同イカツノを差し込んだ釣用針外しの断面側面図と前側の拡大断面側面図である。
【図３】同（ａ）はイカツノが差し込まれていない釣用針外しの正面図で（ｂ）は釣用針外しの背面図で（ｃ）は釣用針外しの断面背面図である。
【図４】同釣用針外しの断面側面図と先端の拡大断面側面図である。
【図５】同針外し部を突出させた断面側面図である。
【図６】同イカツノの拡大側面図である。
【図７】第２実施例でイカツノが差し込まれる前の釣用針外し斜視図である。
【符号の説明】
【００１９】
１、８  釣用針外し
２、９  保持部
２ｂ  孔
３  針外し部
３ｃ  釣糸導入用の溝
６  イカツノ
７  釣針（カンナ）
【図１】
2009261316.tif 000003
【図２】
2009261316.tif 000004
【図３】
2009261316.tif 000005
【図４】
2009261316.tif 000006
【図５】
2009261316.tif 000007
【図６】
2009261316.tif 000008
【図７】
2009261316.tif 000009